(57)【要約】      （修正有）【課題】小型で操作に便利な錠具を提供する。【解決手段】錠具は、底板１と面板８との間に収容空間を形成し、収容空間の左側に前ラッチフックアセンブリ（ＲＡ）３と後ＲＡ２が設置され、収容空間内にＲＡを回復させる弾性部材３０が設置され、前ＲＡの開放方向が後ＲＡの開放方向と反対であり、収容空間の右側に錠芯９、回転ブロック７、押しブロック５、ロックブロック４を含む錠芯アセンブリが設置され、錠芯アセンブリが底板に相対して移動し、面板の右側に通孔８２が設置され、錠芯アセンブリの上端が通孔から延出し、錠芯アセンブリが前ＲＡと後ＲＡと接続し、錠芯アセンブリが解錠された後、錠芯アセンブリが左側に移動すると、一方のＲＡを開放し、右側に移動すると、他方のＲＡを開放し、一方のＲＡが弾性部材の作用で回復する。【選択図】図６
0003192535.tif 000002
【実用新案登録請求の範囲】
【請求項１】
相互に固接される底板（１）と面板（８）を含み、前記底板（１）と面板（８）との間に収容空間を形成し、
前記収容空間に一側に、前ラッチフックアセンブリ（３）と後ラッチフックアセンブリ（２）が設置され、前記収容空間内に前記ラッチフックアセンブリ（２，３）を回復させる弾性部材（３０）が更に設置される錠具において、
前記前ラッチフックアセンブリ（３）の開放方向が、前記後ラッチフックアセンブリ（２）の開放方向と反対方向であり、
前記収容空間の他側に、錠芯アセンブリが設置され、
前記錠芯アセンブリが、前記底板（１）に対して移動し、
前記面板（８）の一側に、通孔（８２）が形成され、
前記錠芯アセンブリの上端が、前記通孔（８２）から延出し、
前記錠芯アセンブリが、前記前ラッチフックアセンブリ（３）と後ラッチフックアセンブリ（２）と接続し、前記錠芯アセンブリが解錠された後、錠芯アセンブリが前記面板（８）の他側に移動すると、前記ラッチフックアセンブリ（２，３）の一方を開放し、前記錠芯アセンブリが前記面板（８）の一側に移動すると、前記ラッチフックアセンブリ（２，３）の他方を開放し、前記一方のラッチフックアセンブリが弾性部材（３０）の作用で回復する
ことを特徴とする錠具。
【請求項２】
前記ラッチフックアセンブリ（２，３）が複数のラッチフック（２１）を含み、
前記ラッチフック（２１）が、移動部（２１３）、接続部（２１２）とフック部（２１１）を含み、
前記接続部（２１２）が、前記移動部（２１３）とフック部（２１１）との間に位置し、
前記面板（８）には前記フック部（２１１）に対応するソケット（８１）が設置され、
前記前ラッチフックアセンブリ（３）のフック部（２１１）が一方に向って設置され、
前記後ラッチフックアセンブリ（２）のフック部（２１１）が他方に向って設置され、
前記前ラッチフックアセンブリ（３）の移動部（２１３）の一端に、前係止ブロック（２１４）が設置され、
前記後ラッチフックアセンブリ（２）の移動部（２１３）の他端に後係止ブロック（２１５）が設置され、
前記錠芯アセンブリには、前係止ブロック（２１４）に対応する前凸部（５３）と前記後係止ブロック（２１５）に対応する後凸部（５２）が設置され、前記前凸部（５３）が前記前係止ブロック（２１４）の一側に位置し、
前記後凸部（５２）が前記後係止ブロック（２１５）の他側に位置し、解錠された後、錠芯アセンブリが一側に移動し、前記後凸部（２１５）が前記後係止ブロック（２１５）を一側に駆動し、即ち前記前ラッチフックアセンブリ（３）が一側に移動し、前記後ラッチフックアセンブリ（２）のフック部（２１１）が対応するソケット（８１）の下方から離間し、
前記錠芯アセンブリが他側移動し、前記前凸部（５３）が前記前係止ブロックを他側に駆動し、即ち前記前ラッチフックアセンブリ（３）が他側に移動し、前記前ラッチフックアセンブリ（３）のフック部（２１１）が対応するソケット（８１）の下方から離間する
ことを特徴とする請求項１に記載の錠具。
【請求項３】
前記錠芯アセンブリが、押しブロック（５）、ロックブロック（４）と錠芯装置を含み、
前記前凸部（５３）と後凸部（５２）が、前記押しブロック（５）に設置され、
前記押しブロック（５）に、前止め部（４２）、後止め部（４１）と接続部（２１２）が設置され、
錠芯装置が、前記接続部（２１２）に当接して前記接続部（２１２）を駆動し、
前記錠芯アセンブリが、更にロックブロックの施錠を駆動する回復装置或は回復弾性部材を含み、
施錠する場合、前記前止め部（４２）が前係止ブロック（２１４）の一側に位置し、前記後止め部（４１）が後係止ブロック（２１５）の一側に位置し、
解錠する場合、錠芯装置が接続部（２１２）を移動駆動し、前記前止め部（４２）が前係止ブロックの他側から離間し、前記後止め部（４１）が後係止ブロック（２１５）の他側から離間し、前記押しブロックが前係止ブロック（２１４）或は後係止ブロック（２１５）を駆動する
ことを特徴とする請求項２に記載の錠具。
【請求項４】
前記前係止ブロック（２１４）と後係止ブロック（２１５）が、それぞれ対応する移動部（２１３）の後側に位置し、前記押しブロック（５）にバンプ（５４）が設置され、前記前凸部（５３）が前記バンプ（５４）の一端に位置し、前記後凸部（５２）が前記バンプ（５４）の他端に位置する
ことを特徴とする請求項３に記載の錠具。
【請求項５】
前記ロックブロック（４）がU字形をしており、
前記ロックブロック（４）の一端に接続ブロック（４３）が接続し、
前記接続ブロック（４３）の他端に解錠突起（４４）が設置され、
前記錠芯装置に、前記解錠突起（４４）を駆動するためのパドル（７１）が設置され、
前記押しブロック（５）には、前記接続ブロック（４３）に対応する移動溝（５１）が設置される
ことを特徴とする請求項３に記載の錠具。
【請求項６】
前記錠芯アセンブリが、更に前記ロックブロック（４）の施錠を駆動する回復装置を含み、
前記回復装置が接続ブロックの一端に設置される施錠突起（４４）を含む
ことを特徴とする請求項５に記載の錠具。
【請求項７】
前記錠芯装置が、錠芯（９）と前記錠芯（９）に接続する回転ブロック（７）を含み、
前記回転ブロック（７）が、前記錠芯（９）の下方に位置し、
前記パドル（７１）が前記回転ブロック（７）の一端に設置される
ことを特徴とする請求項５に記載の錠具。
【請求項８】
前記錠芯アセンブリが、更にプッシュオフ（１０）を含み、
前記プッシュオフ（１０）の上端が、前記通孔（８２）から延出し、
前記プッシュオフ（１０）の下端には錠芯に対応するロックチューブ（２０）が設置され、
前記プッシュオフ（１０）が、前記ロックチューブ（２０）に嵌接し、前記ロックチューブ（２０）が前記押しブロック（５）と接続する
ことを特徴とする請求項７に記載の錠具。
【請求項９】
前記収容空間には、ラッチフックアセンブリに対応する弾性ピース（６）が更に設置され、
前記弾性ピース（６）が、弾性部（６２）と固定部（６１）を含み、
前記固定部（６１）が前記底板（１）に固定され、
前記弾性部（６２）が、前記フック部（２１１）の下方に位置して前記フック部（２１１）と当接する
ことを特徴とする請求項２に記載の錠具。
【考案の詳細な説明】
【技術分野】
【０００１】
本考案は、機械錠の技術分野に属し、具体的には、錠具に関する。
【背景従来】
【０００２】
社会の発展により、人々の観光する回数が次第にますます多く、且つ旅行携帯品も多くなり、携帯に便利にするために、比較的大きいバッグを採用することが多い。現在、比較的大きいバッグは、多層構造とし、層毎にジッパーをスイッチ接続部品として採用し、複数のジッパーを集中管理するために、バッグに一般的に錠具を採用して、前記錠具にジッパーソケットが設置され、ジッパーが多いで、一般的に錠具が中間位置に設置され、ジッパー錠が錠具の両側に配置され。管理に便利になるために、上・下ジッパーを両部分に分け、錠具上方に位置するジッパー錠が在錠具の上側に配置され、錠具の下方に位置するジッパー錠が錠具の下側に配置される。
【考案の概要】
【考案が解決しようとする課題】
【０００３】
例えば、出願番号２０１３２０３０７９５９.０の中国特許は、錠具を提供し、前記錠具が左右ボタンによりそれぞれ上ラッチフック列と下ラッチフック列を制御するが、操作が便利ではなく、且つ占用面積が大きい。
【課題を解決するための手段】
【０００４】
本考案は、従来の技術にある錠具の構造が複雑で、占用体積が大きい欠点を克服する為に、操作が便利で、占用面積が小さい錠具を提供する。
本考案は以下の構成を採用する。
相互に固接される底板と面板を含み、底板と面板との間が収容空間を形成し、収容空間の左側に前ラッチフックアセンブリと後ラッチフックアセンブリが設置され、収容空間内にラッチフックアセンブリを回復させるための弾性部材が更に設置され、前ラッチフックアセンブリの開放方向が後ラッチフックアセンブリの開放方向と反対し、前記収容空間の右側に錠芯アセンブリが設置され、且つ錠芯アセンブリが底板に相対して移動し、前記面板の右側に通孔が設置され、錠芯アセンブリの上端が通孔から延出し、前記錠芯アセンブリがそれぞれ前ラッチフックアセンブリと後ラッチフックアセンブリと接続し、錠芯アセンブリが解錠された後、錠芯アセンブリが左側に移動する場合、一方のラッチフックアセンブリを開放し、錠芯アセンブリが右側に移動する場合、他方のラッチフックアセンブリを開放し、前記一方のラッチフックアセンブリが弾性部材の作用下で回復させる錠具である。
【０００５】
好ましくは、前記ラッチフックアセンブリが複数のラッチフックを含み、前記ラッチフックが移動部、接続部とフック部を含み、接続部が移動部とフック部との間に位置し、前記面板にはフック部に対応するソケットが設置され、前ラッチフックアセンブリのフック部が左に向って設置され、後ラッチフックアセンブリのフック部が右に向って設置され、前ラッチフックアセンブリの移動部の右端に前係止ブロックが設置され、後ラッチフックアセンブリの移動部の右端に後係止ブロックが設置される、前記錠芯アセンブリには、前係止ブロックに対応する前凸部と後係止ブロックに対応する後凸部が設置され、前凸部が前係止ブロックの左側に位置し、後凸部が後係止ブロックの右側に位置し、解錠された後、錠芯アセンブリが左に移動し、後凸部が後係止ブロックを左に移動駆動し、即ち、後ラッチフックアセンブリが左に移動し、後ラッチフックアセンブリのフック部が相応のソケットの下方から離間し、錠芯アセンブリが右に移動し、前凸部が前係止ブロックが右に移動を駆動するし、即ち、前ラッチフックアセンブリが右に移動し、前ラッチフックアセンブリのフック部が相応のソケットの下方から離間する。
好ましくは、前記錠芯アセンブリが押しブロック、ロックブロックと錠芯装置を含み、前記前凸部と後凸部が押しブロックにそれぞれ設置され、前記押しブロックに前止め部、後止め部と接続部が設置され、錠芯装置が接続部に当接して且つ前記接続部を移動駆動し、前記錠芯アセンブリが更にロックブロックの施錠を駆動するための回復装置或は回復弾性部材を含み、施錠する場合、前止め部が前係止ブロックの右側に位置し、後止め部が後係止ブロックの左側に位置し、解錠する場合、錠芯装置が接続部を移動駆動し、前止め部が前係止ブロックの右側から離間し、後止め部が後係止ブロックの左側から離間し、押しブロックが前係止ブロック或は後係止ブロックを移動駆動する。
好ましくは、前記前係止ブロックと後係止ブロックがそれぞれ相応の移動部の後側に位置し、前記押しブロックにバンプが設置され、前記前凸部がバンプの右端に位置し、前記後凸部がバンプの左端に位置する。
好ましくは、前記ロックブロックがU形に設置され、ロックブロックの右端に接続ブロックが接続し、前記接続ブロックの右端に解錠突起が設置され、前記錠芯装置に解錠突起を駆動するためのパドルが設置され、前記押しブロックには接続ブロックに対応する移動溝が設置される。
好ましくは、前記錠芯アセンブリが更にロックブロックの施錠を駆動するための回復装置を含み、前記回復装置が接続ブロックの右端に設置される施錠突起を含む。
好ましくは、前記錠芯装置が錠芯と前記錠芯と接続する回転ブロックを含み、前記回転ブロックが錠芯の下方に位置し、前記パドルが回転ブロックの左端に設置される。
好ましくは、前記錠芯アセンブリが更にプッシュオフを含み、プッシュオフの上端が通孔から延出し、前記プッシュオフの下端には錠芯に対応するロックチューブが設置され、プッシュオフがロックチューブに嵌接し、ロックチューブが押しブロックと接続する。
好ましくは、前記収容空間には、ラッチフックアセンブリに対応する弾性ピースが更に設置され、弾性ピースが弾性部と固定部を含み、固定部が底板に固定され、弾性部がフック部の下方に位置してフック部と当接する。
【０００６】
本考案の有益な効果は、本考案通過ロック方向が反対する両列のラッチフックアセンブリと錠芯アセンブリを設置することで、錠具でそれぞれラッチフックアセンブリを開放でき、占用体積が小さくなり、操作を便利にすることにある。
【図面の簡単な説明】
【０００７】
【図１】本考案の構造斜視図。
【図２】図１の面板とプッシュオフを取り外した構造斜視図。
【図３】図２の押しブロックを取り外した構造斜視図。
【図４】押しブロック、ロックブロック、錠芯、回転ブロックとロックチューブの協調する構造斜視図。
【図５】図４の分解構造斜視図。
【図６】図１の分解構造斜視図。
【考案を実施するための形態】
【０００８】
図１〜図６を参照し、錠具は、相互に固接される底板１と面板８を含み、底板１と面板８との間が収容空間を形成し、収容空間の左側にそれぞれ前ラッチフックアセンブリ３と後ラッチフックアセンブリ２が設置され、収容空間内に更にラッチフックアセンブリを回復させるための弾性部材３０が設置され、前ラッチフックアセンブリ３の開放方向が後ラッチフックアセンブリ２の開放方向と反対し、前記収容空間の右側に錠芯アセンブリが設置され、且つ錠芯アセンブリが底板１に相対して移動でき、前記面板８の右側に通孔８２が設置され、錠芯アセンブリの上端が通孔８２から延出する。前記錠芯アセンブリがそれぞれ前ラッチフックアセンブリ３と後ラッチフックアセンブリ２と接続する。錠芯アセンブリが解錠された後、錠芯アセンブリが左側に移動する場合、一方のラッチフックアセンブリを開放し、錠芯アセンブリが右側に移動する場合、他方のラッチフックアセンブリを開放し、一方のラッチフックアセンブリが弾性部材３０の作用下で回復させる。
【０００９】
本考案は、錠芯アセンブリの左右移動だけにより両列のラッチフックアセンブリの開放を制御でき、操作が便利になる。また、錠具の両側に設置されるボタンを減少し、その占用面積が減少させる。弾性部材３０は、スプリング、弾性ピース等の弾性を備える部材を採用できる。
前記ラッチフックアセンブリが複数のラッチフック２１を含み、前記ラッチフック２１が移動部２１３、接続部２１２とフック部２１１を含み、接続部２１２が移動部２１３とフック部２１１との間に位置し、前記面板８にフック部２１１に対応するソケット８１が設置され、前ラッチフックアセンブリ３のフック部２１１が左に向って設置され、後ラッチフックアセンブリ２のフック部２１１が右に向って設置され、前ラッチフックアセンブリ３の移動部２１３の右端に前係止ブロック２１４が設置され、後ラッチフックアセンブリ２の移動部２１３の右端に後係止ブロック２１５が設置され、前記錠芯アセンブリには、前係止ブロック２１４に対応する前凸部５３と後係止ブロック２１５に対応する後凸部５２がそれぞれ設置され、前凸部５３が前係止ブロック２１４の左側に位置し、後凸部５２が後係止ブロック２１５の右側に位置する。解錠された後、錠芯アセンブリが左に移動し、後凸部５２が後係止ブロック２１５を左に移動駆動し、即ち、後ラッチフックアセンブリ２が左に移動し、後ラッチフックアセンブリ２のフック部２１１が相応のソケット８１の下方から離間し、錠芯アセンブリが右に移動し、前凸部５３が前係止ブロック２１４を右に移動駆動するし、即ち、前ラッチフックアセンブリ３が右に移動し、前ラッチフックアセンブリ３のフック部２１１が相応のソケット８１の下方から離間する。
【００１０】
変形例として、前ラッチフックアセンブリ３のフック部２１１の開放方向を右向きから左向きに設置変更しても良く、後ラッチフックアセンブリ２のフック部２１１の開放方向を左向きから右向きに設置変更しても良い。両列のラッチフック２１のフック部２１１の向きを反対させることでその開放方向の反対を実現するため、構造を簡単で機動的になり、同時に通過在移動部２１３の右端に係止ブロック（即ち、前係止ブロック２１４と後係止ブロック２１５）を設置し、且つ錠芯アセンブリに前凸部５３と後凸部５２を設置するため、錠芯９ができるそれぞれラッチフックアセンブリを移動駆動でき、それぞれ開放の目的を実現する。ラッチフックアセンブリの設置は、複数のラッチフック２１の積み重ね方式を採用しても良い。
また更に、前記錠芯アセンブリは、押しブロック５、ロックブロック４と錠芯装置を含み、前記前凸部５３と後凸部５２がそれぞれ押付けブロッ５クに設置され、前記押しブロック５には、前止め部４２、後止め部４１と接続部２１２が設置され、錠芯装置が接続部２１２に当接して且つ接続部２１２を移動を駆動し、前記錠芯アセンブリは、更にロックブロック４の施錠を駆動するための回復装置或は回復弾性部材を含む。施錠する場合、前止め部４２が前係止ブロック２１４の右側に位置し、後止め部４１が後係止ブロック２１５の左側に位置する。解錠する場合、錠芯装置は接続部２１２を移動駆動し、前止め部４２が前係止ブロック２１４の右側から離間し、後止め部４１が後係止ブロック２１５の左側から離間し、押しブロック５が前係止ブロック２１４或は後係止ブロック２１５を移動駆動する。
【００１１】
前ラッチフックアセンブリ３の開放方向が右に向かい、後ラッチフックアセンブリ２の開放方向が左に向かうので、施錠状態にある場合、前ラッチフックアセンブリ３が左への移動に制限され、また後ラッチフックアセンブリ２が右への移動に制限され、或いはジッパーが損壊される。具体的に、収容空間内に阻止ブロックを設置しても良く、ソケット８１の側面にフック部２１１の移動を阻止するためのバッフルを設置しても良い。ここで設計されるロックブロック４は施錠すると必要がある場合、その前止め部４２が前係止ブロック２１４の右側に位置し、後止め部４１が後係止ブロック２１５の左側に位置し、この時に前ラッチフックアセンブリ３が右に移動して開放すれば、後ラッチフックアセンブリ２が連動して右に移動駆動させ、後ラッチフックアセンブリ２が右への移動に制限されるので、ラッチフックアセンブリが右に移動できなく、同様に左に移動できないため、施錠状態になる。解錠する場合、錠芯装置によりロックブロック４を推し離すれば良い。施錠する場合、錠芯装置を回復させ、ロックブロック４が回復装置或は回復弾性部材の作用で回復させる。回復弾性部材はスプリング、弾性ピース等としても良い。
前記前係止ブロック２１４と後係止ブロック２１５がそれぞれ相応移動部２１３の後側に位置し、前記押しブロック５にバンプ５４が設置され、前記前凸部５３がバンプ５４の右端に位置し、前記後凸部５２がバンプ５４の左端に位置する。
【００１２】
前凸部５３と後凸部５２をバンプ５４に集成し、勿論、それらを別に二つのバンプ５４に成型しても良い。前係止ブロック２１４と後係止ブロック２１５は等同の変形として、全て前側に設置されても良く、それぞれ前後両側に設置されても良い。
更に、前記ロックブロック４がU形に設置され、ロックブロック４の右端に接続ブロック４３が接続され、前記接続ブロック４３の右端に解錠突起４４が設置され、前記錠芯装置に解錠突起４４を駆動するためのパドル７１が設置され、前記押しブロック５に接続ブロック４３に対応する移動溝５１が設置される。
ロックブロック４の設計に便利になる為に、ロックブロック４が前止め部４２と後端部を備え、ロックブロック４をU形に設置することで、構造が簡単になる。同時に押しブロック５に移動溝５１を設置することで、ロックブロック４が一定の方向に指向して移動するのに便利になる。
より一層として、前記回復装置が接続ブロック４３右端に設置される施錠突起４５を含む。
施錠する場合、錠芯装置のパドル７１が施錠突起４５を動かすことで、ロックブロック４を回復させる。
また更に、前記錠芯装置は錠芯９と前記錠芯９と接続する回転ブロック７を含み、前記回転ブロック７が錠芯９の下方に位置し、前記パドル７１が回転ブロック７の左端に設置される。
回転ブロック７の設置により、錠芯９に対応するのに便利し、錠芯９が解錠後に回転させ、錠芯９により回転ブロック７を回転駆動し、パドル７１がロックブロック４を移動駆動する。
より一層として、前記錠芯アセンブリは更にプッシュオフ１０を含み、プッシュオフ１０の上端が通孔８２から延出し、前記プッシュオフ１０の下端には錠芯９に対応するロックチューブ２０が設置され、プッシュオフ１０がロックチューブ２０に嵌接し、ロックチューブ２０が押しブロック５と接続する。
プッシュオフ１０の設置により、錠芯アセンブリを駆動するのに便利になる。具体的に、錠芯９の回動角度を制限するように、回転ブロック７にストッパー７２を設置する。
より一層として、前記収容空間には、更にラッチフックアセンブリに対応する弾性ピース６が設置され、弾性ピース６が弾性部６２と固定部６１を含み、固定部６１が底板１に固定され、弾性部６２がフック部２１１の下方に位置してフック部２１１と当接する。
弾性ピース６の設置により、解錠後、ラッチフックアセンブリを開放する時、ジッパーシートの自発的な弾出に便利になる。
【００１３】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するためのものではない。また同一番号でも明細書と実用新案登録請求の範囲の部品名は必ずしも同一ではない。これは上記した理由による。実施例の記載においては、「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のもの、ＡとＢの組合せＡとＢとＣの組合せでもよい。「Ａ，Ｂと／又はＣ」は、Ａ，Ｂ，Ｃ単独のみならず、ＡとＢの２つ、或いはＡとＢとＣの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００１４】
１…底板、２…後ラッチフックアセンブリ、３…前ラッチフックアセンブリ、４…ロックブロック、５…押しブロック、６…弾性ピース、７…回転ブロック、８…面板、９…錠芯、１０…プッシュオフ、２１…ラッチフック、２１１…フック部、２１２…接続部、２１３…移動部、２１４…前係止ブロック、２１５…後係止ブロック、４１…後止め部、４２…前止め部、４３…接続ブロック、４４…解錠突起、４５…施錠突起、５１…移動溝、６１…固定部、６２…弾性部、７１…パドル、７２…ストッパー、８１…ソケット、８２…通孔、２０…ロックチューブ、３０…弾性部材、５２…後凸部、５３…前凸部、５４…バンプ。
【図１】
0003192535.tif 000003
【図２】
0003192535.tif 000004
【図３】
0003192535.tif 000005
【図４】
0003192535.tif 000006
【図５】
0003192535.tif 000007
【図６】
0003192535.tif 000008
【手続補正書】
【提出日】平成26年6月23日(2014.6.23)
【手続補正１】
【補正対象書類名】実用新案登録請求の範囲
【補正対象項目名】全文
【補正方法】変更
【補正の内容】
【実用新案登録請求の範囲】
【請求項１】
相互に固接される底板（１）と面板（８）を含み、前記底板（１）と面板（８）との間に収容空間を形成し、
前記収容空間に一側に、前ラッチフックアセンブリ（３）と後ラッチフックアセンブリ（２）が設置され、前記収容空間内に前記ラッチフックアセンブリ（２，３）を回復させる弾性部材（３０）が更に設置される錠具において、
前記前ラッチフックアセンブリ（３）の開放方向が、前記後ラッチフックアセンブリ（２）の開放方向と反対方向であり、
前記収容空間の他側に、錠芯アセンブリが設置され、
前記錠芯アセンブリが、前記底板（１）に対して移動し、
前記面板（８）の一側に、通孔（８２）が形成され、
前記錠芯アセンブリの上端が、前記通孔（８２）から延出し、
前記錠芯アセンブリが、前記前ラッチフックアセンブリ（３）と後ラッチフックアセンブリ（２）と接続し、前記錠芯アセンブリが解錠された後、錠芯アセンブリが前記面板（８）の他側に移動すると、前記ラッチフックアセンブリ（２，３）の一方を開放し、前記錠芯アセンブリが前記面板（８）の一側に移動すると、前記ラッチフックアセンブリ（２，３）の他方を開放し、前記一方のラッチフックアセンブリが弾性部材（３０）の作用で回復する
ことを特徴とする錠具。
【請求項２】
前記ラッチフックアセンブリ（２，３）が複数のラッチフック（２１）を含み、
前記ラッチフック（２１）が、移動部（２１３）、接続部（２１２）とフック部（２１１）を含み、
前記接続部（２１２）が、前記移動部（２１３）とフック部（２１１）との間に位置し、
前記面板（８）には前記フック部（２１１）に対応するソケット（８１）が設置され、
前記前ラッチフックアセンブリ（３）のフック部（２１１）が一方に向って設置され、
前記後ラッチフックアセンブリ（２）のフック部（２１１）が他方に向って設置され、
前記前ラッチフックアセンブリ（３）の移動部（２１３）の一端に、前係止ブロック（２１４）が設置され、
前記後ラッチフックアセンブリ（２）の移動部（２１３）の他端に後係止ブロック（２１５）が設置され、
前記錠芯アセンブリには、前係止ブロック（２１４）に対応する前凸部（５３）と前記後係止ブロック（２１５）に対応する後凸部（５２）が設置され、前記前凸部（５３）が前記前係止ブロック（２１４）の一側に位置し、
前記後凸部（５２）が前記後係止ブロック（２１５）の他側に位置し、解錠された後、錠芯アセンブリが一側に移動し、前記後凸部（５２）が前記後係止ブロック（２１５）を一側に駆動し、即ち前記前ラッチフックアセンブリ（３）が一側に移動し、前記後ラッチフックアセンブリ（２）のフック部（２１１）が対応するソケット（８１）の下方から離間し、
前記錠芯アセンブリが他側移動し、前記前凸部（５３）が前記前係止ブロックを他側に駆動し、即ち前記前ラッチフックアセンブリ（３）が他側に移動し、前記前ラッチフックアセンブリ（３）のフック部（２１１）が対応するソケット（８１）の下方から離間する
ことを特徴とする請求項１に記載の錠具。
【請求項３】
前記錠芯アセンブリが、押しブロック（５）、ロックブロック（４）と錠芯装置を含み、
前記前凸部（５３）と後凸部（５２）が、前記押しブロック（５）に設置され、
前記押しブロック（５）に、前止め部（４２）、後止め部（４１）と接続部（２１２）が設置され、
錠芯装置が、前記接続部（２１２）に当接して前記接続部（２１２）を駆動し、
前記錠芯アセンブリが、更にロックブロックの施錠を駆動する回復装置或は回復弾性部材を含み、
施錠する場合、前記前止め部（４２）が前係止ブロック（２１４）の一側に位置し、前記後止め部（４１）が後係止ブロック（２１５）の一側に位置し、
解錠する場合、錠芯装置が接続部（２１２）を移動駆動し、前記前止め部（４２）が前係止ブロックの他側から離間し、前記後止め部（４１）が後係止ブロック（２１５）の他側から離間し、前記押しブロックが前係止ブロック（２１４）或は後係止ブロック（２１５）を駆動する
ことを特徴とする請求項２に記載の錠具。
【請求項４】
前記前係止ブロック（２１４）と後係止ブロック（２１５）が、それぞれ対応する移動部（２１３）の後側に位置し、前記押しブロック（５）にバンプ（５４）が設置され、前記前凸部（５３）が前記バンプ（５４）の一端に位置し、前記後凸部（５２）が前記バンプ（５４）の他端に位置する
ことを特徴とする請求項３に記載の錠具。
【請求項５】
前記ロックブロック（４）がU字形をしており、
前記ロックブロック（４）の一端に接続ブロック（４３）が接続し、
前記接続ブロック（４３）の他端に解錠突起（４４）が設置され、
前記錠芯装置に、前記解錠突起（４４）を駆動するためのパドル（７１）が設置され、
前記押しブロック（５）には、前記接続ブロック（４３）に対応する移動溝（５１）が設置される
ことを特徴とする請求項３に記載の錠具。
【請求項６】
前記錠芯アセンブリが、更に前記ロックブロック（４）の施錠を駆動する回復装置を含み、
前記回復装置が接続ブロックの一端に設置される施錠突起（４４）を含む
ことを特徴とする請求項５に記載の錠具。
【請求項７】
前記錠芯装置が、錠芯（９）と前記錠芯（９）に接続する回転ブロック（７）を含み、
前記回転ブロック（７）が、前記錠芯（９）の下方に位置し、
前記パドル（７１）が前記回転ブロック（７）の一端に設置される
ことを特徴とする請求項５に記載の錠具。
【請求項８】
前記錠芯アセンブリが、更にプッシュオフ（１０）を含み、
前記プッシュオフ（１０）の上端が、前記通孔（８２）から延出し、
前記プッシュオフ（１０）の下端には錠芯に対応するロックチューブ（２０）が設置され、
前記プッシュオフ（１０）が、前記ロックチューブ（２０）に嵌接し、前記ロックチューブ（２０）が前記押しブロック（５）と接続する
ことを特徴とする請求項７に記載の錠具。
【請求項９】
前記収容空間には、ラッチフックアセンブリに対応する弾性ピース（６）が更に設置され、
前記弾性ピース（６）が、弾性部（６２）と固定部（６１）を含み、
前記固定部（６１）が前記底板（１）に固定され、
前記弾性部（６２）が、前記フック部（２１１）の下方に位置して前記フック部（２１１）と当接する
ことを特徴とする請求項２に記載の錠具。
【手続補正２】
【補正対象書類名】図面
【補正対象項目名】図１
【補正方法】変更
【補正の内容】
【図１】
0003192535.tif 000009
【手続補正３】
【補正対象書類名】図面
【補正対象項目名】図６
【補正方法】変更
【補正の内容】
【図６】
0003192535.tif 000010